【手続補正書】
【提出日】平成15年12月3日(2003.12.3)
【手続補正１】
【補正対象書類名】明細書
【補正対象項目名】００６５
【補正方法】変更
【補正の内容】
【００６５】
例えば、各Ｃｅｌｌの管理は、ＰＧＣ（Program Chain）と呼ばれる管理単位で行われる。このＰＧＣの管理情報は、図３に示すProgram Chain Information（ＰＧＣＩ）にある。ＰＧＣＩのＰｒｅＣｏｍｍａｎｄには、このＰＧＣの再生前に処理をする管理情報が含まれており、また、ＰｏｓｔＣｏｍｍａｎｄには、このＰＧＣ再生後に処理をする管理情報が含まれている。また、このＰＧＣＩには、このＰＧＣで管理するＣｅｌｌの再生順序等の情報が含まれている。コントローラ１１は、映画等の再生をする場合に、予めこのＰＧＣＩを記録媒体１から読み込み、このＰＧＣＩをメモリ１３に記憶させておく。そして、コントローラ１１はこのＰＧＣＩの情報に基づき各部を制御して、指定されたＣｅｌｌを順次再生していく。


【手続補正２】
【補正対象書類名】明細書
【補正対象項目名】００６７
【補正方法】変更
【補正の内容】
【００６７】
ＰＧＣ＿ＧＩには、このＰＧＣ全体の情報が含まれている。例えば、このＰＧＣの情報内容やＰＧＣ全体の時間情報等である。ＰＧＣ＿ＣＭＤＴには、このＰＧＣを再生する前後に行う管理情報が含まれている。例えば、上述したＰｒｅＣｏｍｍａｎｄやＰｏｓｔＣｏｍｍａｎｄ等の情報である。ＰＧＣ＿ＰＧＭＡＴには、各プログラムの開始Ｃｅｌｌ番号等が含まれている。Ｃ＿ＰＢＩＴは、各Ｃｅｌｌの再生時間等の情報が含まれている。Ｃ＿ＰＯＳＩＴには、各ＣｅｌｌのＶＯＢ内の続き番号であるＩＤ番号等が含まれている。


【手続補正３】
【補正対象書類名】明細書
【補正対象項目名】００６８
【補正方法】変更
【補正の内容】
【００６８】
特に、Ｃ＿ＰＢＩＴには、図５に示すように、ＰＧＣを構成する各Ｃｅｌｌ単位における再生時間等の管理情報のCell Play Back Information（Ｃ＿ＰＢＩ）が含まれている。この各ＣｅｌｌのＣ＿ＰＢＩには、図６に示すように、管理情報としてＣ＿ＣＡＴと、Ｃ＿ＰＢＴＭと、Ｃ＿ＦＶＯＢＵ＿ＳＡと、Ｃ＿ＦＩＬＶＵ＿ＥＡと、Ｃ＿ＬＶＯＢＵ＿ＳＡと、Ｃ＿ＬＶＯＢＵ＿ＥＡとが含まれている。Ｃ＿ＣＡＴには、このＣｅｌｌのカテゴリ情報が示されている。Ｃ＿ＰＢＴＭには、このＣｅｌｌの合計の再生時間等が示されている。Ｃ＿ＦＶＯＢＵ＿ＳＡには、このＣｅｌｌの最初のＶＯＢＵのスタートアドレスが示されている。Ｃ＿ＦＩＬＶＵ＿ＥＡには、このＣｅｌｌの最初のＩＬＶＵ（インターリーブユニット）のエンドアドレスが示されている。Ｃ＿ＬＶＯＢＵ＿ＳＡには、このＣｅｌｌの最後のＶＯＢＵのスタートアドレスが示されている。Ｃ＿ＬＶＯＢＵ＿ＥＡには、このＣｅｌｌの最後のＶＯＢＵのエンドアドレスが示されている。


【手続補正４】
【補正対象書類名】明細書
【補正対象項目名】００７３
【補正方法】変更
【補正の内容】
【００７３】
ＮＶ＿ＰＣＫ＿ＬＢＮには、このＮＶ＿ＰＣＫのアドレスが示されている。ＶＯＢＵ＿ＣＡＴには、このＶＯＢＵのカテゴリが示されている。ＶＯＢＵ＿ＵＯＰ＿ＣＴＬには、ユーザオペレーションの制御情報が示されている。ＶＯＢＵ＿Ｓ＿ＰＴＭには、このＶＯＢＵ内の最初のＧＯＰの表示のスタート時間が示されている。ＶＯＢＵ＿Ｅ＿ＰＴＭには、このＶＯＢＵ内の最後のＧＯＰの表示の終了時間が示されている。ＶＯＢＵ＿ＳＥ＿Ｅ＿ＰＴＭには、このＶＯＢＵの主映像データが途切れることが示されている。つまり、このＶＯＢＵ＿ＳＥ＿Ｅ＿ＰＴＭは、このＶＯＢＵ内の主映像データにＭＰＥＧ２のフォーマットにおけるSequence End Codeが配置されており、このＶＯＢＵの表示の終了時間ＶＯＢＵ＿Ｅ＿ＰＴＭ以前に、主映像データの表示が終了する時間を示している。Ｃ＿ＥＬＴＭには、このＶＯＢＵが含まれるＣｅｌｌの先頭からの経過時間が示されている。この時間時に基づきディスプレイに経過時間等が表示できる。


【手続補正５】
【補正対象書類名】明細書
【補正対象項目名】００７６
【補正方法】変更
【補正の内容】
【００７６】
ＮＶ＿ＰＣＫ＿ＳＣＲには、システムクロックの基準が示されている。ＮＶ＿ＰＣＫ＿ＬＢＮには、このＮＶ＿ＰＣＫのアドレスが示されている。ＶＯＢＵ＿ＥＡには、このＶＯＢＵのエンドアドレスが示されている。ＶＯＢＵ＿１ＳＴＲＥＦ＿ＥＡには、このＶＯＢＵの最初のＩ−Ｐｉｃｔｕｒｅが含まれる最後のアドレスが示されている。なお、ＶＯＢＵにＩ−Ｐｉｃｔｕｒｅが無い場合には、このデータは、０となる。ＶＯＢＵ＿２ＮＤＲＥＦ＿ＥＡには、このＶＯＢＵの最初から２番目のＩ−Ｐｉｃｔｕｒｅ又はＰ−Ｐｉｃｔｕｒｅが含まれる最後のアドレスが示されている。なお、ＶＯＢＵに２枚のＩ−Ｐｉｃｔｕｒｅ又はＰ−Ｐｉｃｔｕｒｅが無い場合には、このデータは、０となる。ＶＯＢＵ＿３ＲＤＲＥＦ＿ＥＡには、このＶＯＢＵの最初から３番目のＩ−Ｐｉｃｔｕｒｅ又はＰ−Ｐｉｃｔｕｒｅが含まれる最後のアドレスが示されている。なお、ＶＯＢＵに３枚のＩ−Ｐｉｃｔｕｒｅ又はＰ−Ｐｉｃｔｕｒｅが無い場合には、このデータは、０となる。ＶＯＢＵ＿ＶＯＢ＿ＩＤＮには、このＶＯＢＵのＩＤ番号が示されている。ＶＯＢＵ＿Ｃ＿ＩＤＮには、このＶＯＢＵが含まれるＣｅｌｌのＩＤ番号が示されている。Ｃ＿ＥＬＴＭには、ＰＣＩと同様に、このＶＯＢＵが含まれるＣｅｌｌの先頭からの経過時間が示されている。


【手続補正６】
【補正対象書類名】明細書
【補正対象項目名】００７８
【補正方法】変更
【補正の内容】
【００７８】
ＦＷＤＩｎには、このＶＯＢＵから時間軸方向に先のＶＯＢＵのアドレスが示されている。ここで、添字のｎは、時間を表しており、実際には、ｎ×０．５秒の単位である。つまり、３０秒先のＶＯＢＵアドレスは、ＦＷＤＩ６０に示されている。同様に、ＢＷＤＩｎには、このＶＯＢＵから時間軸方向に前のＶＯＢＵのアドレスが示されている。添字のｎは、ＦＷＤＩと同一である。なお、同一のＣｅｌｌ内に、所定時間以降或いは所定時間以前のＶＯＢＵが無い場合は、このアドレスを示すデータの下３０ｂｉｔはすべて１となる。（なお、このＶＯＢＵのアドレスを示すデータは、４ｂｙｔｅで示されている。）例えば、Ｃｅｌｌの一番最初のＶＯＢＵであれば、それ以前のＶＯＢＵはこのＶＯＢＵ＿ＳＲＩには示されないため各ＢＷＤＩのアドレスを示すデータの下３０ｂｉｔはすべて１となる。また、Ｃｅｌｌの一番最後のＶＯＢＵであれば、各ＦＷＤＩのアドレスを示すデータの下３０ｂｉｔはすべて１となる。


【手続補正７】
【補正対象書類名】明細書
【補正対象項目名】０１０５
【補正方法】変更
【補正の内容】
【０１０５】
ここで、この判断は、先のステップＳ２１又はステップＳ２２で参照したＶＯＢＵ＿ＳＲＩのＦＷＤＩ又はＢＷＤＩを参照して行われる。すなわち、ＦＷＤＩ及びＢＷＤＩのデータの下３０ｂｉｔがすべて１であれば、現在再生しているＣｅｌｌの中に、所定時間先のＶＯＢＵがないこととなり、係る場合は、Ｃｅｌｌの範囲を超えていることとなる。なお、ｒｌｅｖｅｌ＝４のときには、必ずＣｅｌｌの範囲を超えていないこととなるので、このときは必ずステップＳ２５に進む。


【手続補正８】
【補正対象書類名】明細書
【補正対象項目名】０１０６
【補正方法】変更
【補正の内容】
【０１０６】
ステップＳＴ２５において、現在のＣｅｌｌが再生範囲のＣｅｌｌを超えたかどうかを判断する。例えば、順方向の再生をしている場合は、映画等のすべての映像が終了した場合やユーザが規定した再生範囲を超えて終了する場合である。また、逆方向の再生をしている場合は、映画等の始まりのＣｅｌｌを過ぎてしまった等である。再生Ｃｅｌｌを超えているときには、処理を終了し、再生Ｃｅｌｌを超えていない場合は、ステップＳ２６に進む。